(57)【特許請求の範囲】
【請求項１】
サービングゲートウェイを選択する方法であって、
端末によって確立される必要がある少なくとも２つのパケットデータネットワーク（ＰＤＮ）接続に各々対応するアクセスポイント名（ＡＰＮ）をモビリティ管理エンティティ（ＭＭＥ）が取得することと、
前記少なくとも２つのＰＤＮ接続に各々対応する前記ＡＰＮに従って、前記少なくとも２つのＰＤＮ接続に対応するサービングゲートウェイセットを前記ＭＭＥが探索することと、
前記サービングゲートウェイセットが共通セットを有する場合、前記サービングゲートウェイセットの前記共通セットから、サービングゲートウェイを前記ＭＭＥが選択することと、
を含み、ここで、前記少なくとも２つのＰＤＮ接続に対応するベアラが、選択されたサービングゲートウェイを介して確立される、サービングゲートウェイを選択する方法。
【請求項２】
前記サービングゲートウェイセットが共通セットを有さない場合、予め設定されたサービスプライオリティに従って、第１プライオリティサービスのＰＤＮ接続に対応するサービングゲートウェイセットから、サービングゲートウェイを前記ＭＭＥが選択すること
を更に含み、ここで、前記少なくとも２つのＰＤＮ接続に対応するベアラが、選択されたサービングゲートウェイを介して確立され、前記第１プライオリティサービスは、前記サービスプライオリティの中の、サービングゲートウェイを優先的に選択するよう予め設定されたサービスを意味する、請求項１に記載のサービングゲートウェイを選択する方法。
【請求項３】
前記第１プライオリティサービスは、音声サービス、ブロードバンド伝送サービス、及び優先伝送レートを有するサービスのうちの１つのタイプを含む、請求項２に記載のサービングゲートウェイを選択する方法。
【請求項４】
前記端末によって発されたアタッチリクエストを前記ＭＭＥが受信すること
を更に含み、ここで、前記アタッチリクエストは、少なくとも２つのＰＤＮ接続リクエストを運び、前記端末によって確立される必要がある前記少なくとも２つのＰＤＮ接続は、前記アタッチリクエスト内で運ばれる前記少なくとも２つのＰＤＮ接続リクエストに対応するＰＤＮ接続である、請求項１〜３のいずれか一項に記載のサービングゲートウェイを選択する方法。
【請求項５】
前記端末によって発されたトラッキングエリア・アップデート・リクエスト又はトラッキングエリア・ハンドオーバ・リクエストを前記ＭＭＥが受信すること
を更に含み、ここで、前記端末によって確立される必要がある前記少なくとも２つのＰＤＮ接続は、アップデートされたトラッキングエリア内、又はハンドオーバのためのターゲットトラッキングエリアであるトラッキングエリア内の前記端末によって確立される必要があるＰＤＮ接続である、請求項１〜３のいずれか一項に記載のサービングゲートウェイを選択する方法。
【請求項６】
前記端末が、前記アップデートされた前記トラッキングエリア内、又は前記ハンドオーバのための前記ターゲットトラッキングエリアである前記トラッキングエリア内で、最適化されるべきＰＤＮ接続を有する場合、前記方法は、
最適化されるべき前記ＰＤＮ接続の無線側ベアラが解放された、又はアイドル状態になった場合、前記端末に、最適化されるべき元のＰＤＮ接続を削除するよう前記ＭＭＥが指示し、そして、前記端末に、最適化されるべき前記ＰＤＮ接続を再び開始するよう前記ＭＭＥが指示すること
を更に含む、請求項５に記載のサービングゲートウェイを選択する方法。
【請求項７】
前記端末が、接続状態にあるＰＤＮ接続を有する場合に、前記端末によって発された少なくとも１つのＰＤＮ接続リクエストを前記ＭＭＥが受信することと、
前記接続状態にある前記ＰＤＮ接続に対応するサービングゲートウェイが、選択を介して取得された前記サービングゲートウェイと異なる場合、前記接続状態にある前記ＰＤＮ接続に対応するベアラを、前記選択されたサービングゲートウェイに前記ＭＭＥが移行することと、
を更に含む、請求項１〜３のいずれか一項に記載のサービングゲートウェイを選択する方法。
【請求項８】
サービングゲートウェイを選択する装置であって、
端末によって確立される必要がある少なくとも２つのパケットデータネットワーク（ＰＤＮ）接続に各々対応するアクセスポイント名（ＡＰＮ）を取得するように構成された、取得ユニットと、
前記少なくとも２つのＰＤＮ接続に各々対応する前記ＡＰＮに従って、前記少なくとも２つのＰＤＮ接続に対応するサービングゲートウェイセットを探索するように構成された、ゲートウェイ探索ユニットと、
前記サービングゲートウェイセットが共通セットを有する場合に、前記サービングゲートウェイセットの前記共通セットから、サービングゲートウェイを選択するように構成された、第１の選択ユニットと、
を備え、ここで、前記少なくとも２つのＰＤＮ接続に対応するベアラが、選択されたサービングゲートウェイを介して確立される、サービングゲートウェイを選択する装置。
【請求項９】
前記サービングゲートウェイセットが共通セットを有さない場合に、予め設定されたサービスプライオリティに従って、第１プライオリティサービスのＰＤＮ接続に対応するサービングゲートウェイセットから、サービングゲートウェイを選択するように構成された、第２の選択ユニット
を更に備え、ここで、前記少なくとも２つのＰＤＮ接続に対応するベアラが、選択されたサービングゲートウェイを介して確立され、前記第１プライオリティサービスは、前記サービスプライオリティの中の、サービングゲートウェイを優先的に選択するよう予め設定されたサービスを意味する、請求項８に記載のサービングゲートウェイを選択する装置。
【請求項１０】
前記第１プライオリティサービスは、音声サービス、ブロードバンド伝送サービス、及び優先伝送レートを有するサービスのうちの１つのタイプを含む、請求項９に記載のサービングゲートウェイを選択する装置。
【請求項１１】
前記装置は、モビリティ管理エンティティ（ＭＭＥ）である、請求項８〜１０のいずれか一項に記載のサービングゲートウェイを選択する装置。
【請求項１２】
前記端末によって発されたアタッチリクエストを受信するように構成された、第１の受信ユニット
を更に備え、ここで、前記アタッチリクエストは、少なくとも２つのＰＤＮ接続リクエストを運び、前記端末によって確立される必要がある前記少なくとも２つのＰＤＮ接続は、前記アタッチリクエスト内で運ばれる前記少なくとも２つのＰＤＮ接続リクエストに対応するＰＤＮ接続である、請求項８〜１０のいずれか一項に記載のサービングゲートウェイを選択する装置。
【請求項１３】
前記端末によって発されたトラッキングエリア・アップデート・リクエスト又はトラッキングエリア・ハンドオーバ・リクエストを受信するように構成された、第２の受信ユニット
を更に備え、ここで、前記端末によって確立される必要がある前記少なくとも２つのＰＤＮ接続は、アップデートされたトラッキングエリア内、又はハンドオーバのためのターゲットトラッキングエリアであるトラッキングエリア内の前記端末によって確立される必要があるＰＤＮ接続である、請求項８〜１０のいずれか一項に記載のサービングゲートウェイを選択する装置。
【請求項１４】
前記端末が、前記アップデートされた前記トラッキングエリア内、又は前記ハンドオーバのための前記ターゲットトラッキングエリアである前記トラッキングエリア内で、最適化されるべきＰＤＮ接続を有する場合、前記装置は、
最適化されるべき前記ＰＤＮ接続の無線側ベアラが解放された、又はアイドル状態になった後、前記端末に、最適化されるべき元のＰＤＮ接続を削除するよう指示し、そして、前記端末に、最適化されるべき前記ＰＤＮ接続を再び開始するよう指示するように構成された、再接続指示ユニット
を更に備える、請求項１３に記載のサービングゲートウェイを選択する装置。
【請求項１５】
前記端末が、接続状態にあるＰＤＮ接続を有する場合に、前記端末によって発された少なくとも１つのＰＤＮ接続リクエストを受信するように構成された、第３の受信ユニットと、
前記接続状態にある前記ＰＤＮ接続に対応するサービングゲートウェイが、選択を介して取得された前記サービングゲートウェイと異なる場合に、前記接続状態にある前記ＰＤＮ接続の前記サービングゲートウェイのベアラを移行し、前記サービングゲートウェイを、選択を介して取得された前記サービングゲートウェイに変更するように構成された、ゲートウェイ移行ユニットと、
を更に備える、請求項８〜１０のいずれか一項に記載のサービングゲートウェイを選択する装置。
【発明の詳細な説明】
【技術分野】
【０００１】
本発明は、通信技術の分野に関し、特に、サービングゲートウェイを選択する方法及び装置に関する。
【背景技術】
【０００２】
既存の通信システムでは、ＰＤＮ（パケットデータネットワーク）接続を確立するための主要なプロセスは以下の通りである。ＭＳ（Ｍｏｂｉｌｅ  Ｓｕｂｓｃｒｉｂｅｒ、モバイル加入者）が、アタッチリクエストを、ＭＭＥ（Ｍｏｂｉｌｉｔｙ  Ｍａｎａｇｅｍｅｎｔ  Ｅｎｔｉｔｙ、モビリティ管理エンティティ）に発し、アタッチリクエスト内でＰＤＮ接続リクエストを運び、次に、ＭＭＥは、ＰＤＮ接続リクエストに対応するＡＰＮ（Ａｃｃｅｓｓ  Ｐｏｉｎｔ  Ｎａｍｅ、アクセスポイント）に従って、ＳＧＷ（サービングゲートウェイ）を選択する。選択されたＳＧＷを介して、ＰＤＮ接続の下でのベアラが確立され得る。
【０００３】
従来技術には、以下の不利益が存在する。通信システムの継続的な発展に伴い、ＭＳは、複数のＰＤＮ接続を同時に有する可能性がある、又は複数のＰＤＮ接続を同時に確立する必要がある。従来技術では、ＳＧＷは、ルーティング方式の作成の間、１つのＰＤＮ接続のためにのみ選択される。ＭＳが２つ以上のＰＤＮ接続を確立する必要がある場合、従来技術は、対応するＳＧＷ選択方式を提供しない。
【発明の概要】
【発明が解決しようとする課題】
【０００４】
本発明の実施形態は、ＭＳが２つ以上のＰＤＮ接続を確立する必要がある場合に、サービングゲートウェイの選択を実行することが可能な、サービングゲートウェイを選択する方法及び装置を提供する。
【課題を解決するための手段】
【０００５】
前述の目的を達成するために、本発明の実施形態は、以下の技術的解決法を採用する。
【０００６】
サービングゲートウェイを選択する方法が提供され、この方法は、
端末によって確立される必要がある少なくとも２つのＰＤＮ接続に対応するアクセスポイントを取得することと、
少なくとも２つのＰＤＮ接続に対応するアクセスポイントに従って、少なくとも２つのＰＤＮ接続に対応するサービングゲートウェイセットを探索することと、
サービングゲートウェイセットが共通セットを有する場合、サービングゲートウェイセットの共通セットから、サービングゲートウェイを選択することと
を含み、ここで、少なくとも２つのＰＤＮ接続に対応するベアラが、選択されたサービングゲートウェイを介して確立される。
【０００７】
サービングゲートウェイを選択する装置が提供され、この装置は、
端末によって確立される必要がある少なくとも２つのＰＤＮ接続に対応するアクセスポイントを取得するように構成された、取得ユニットと、
少なくとも２つのＰＤＮ接続に対応するアクセスポイントに従って、少なくとも２つのＰＤＮ接続に対応するサービングゲートウェイセットを探索するように構成された、ゲートウェイ探索ユニットと、
サービングゲートウェイセットが共通セットを有する場合に、サービングゲートウェイセットの共通セットから、サービングゲートウェイを選択するように構成された、第１の選択ユニットと
を含み、ここで、少なくとも２つのＰＤＮ接続に対応するベアラが、選択されたサービングゲートウェイを介して確立される。
【発明の効果】
【０００８】
本発明の実施形態で提供される、サービングゲートウェイを選択する方法及び装置では、ＭＳが２つ以上のＰＤＮ接続を確立する場合に、ＳＧＷの選択が実行されることが可能であり、これにより、選択されるＳＧＷは、各ＰＤＮ接続に対応するサービスの要求を満たすことが可能であり、各ＰＤＮ接続のルーティング要求が考慮に入れられ、ユーザ満足度が向上する。
【図面の簡単な説明】
【０００９】
本発明の実施形態における技術的解決法をより明確に説明するために、以下では、実施形態を説明するために必要とされる添付の図面について簡単に紹介する。明らかに、以下の説明における添付の図面は、本発明のいくつかの実施形態を示すものにすぎず、当業者は、これらの添付の図面に従って、創造的な活動を行うことなくその他の図面を更に導き出すことが可能である。
【００１０】
【図１】本発明の実施形態１における、サービングゲートウェイを選択する方法のフローチャートである。
【図２】本発明の実施形態１における、サービングゲートウェイを選択する装置のブロック図である。
【図３】本発明の実施形態２における、サービングゲートウェイを選択する方法のフローチャートである。
【図４】本発明の実施形態３における、サービングゲートウェイを選択する方法のフローチャートである。
【図５】本発明の実施形態４における、サービングゲートウェイを選択する方法のフローチャートである。
【図６】本発明の実施形態５における、サービングゲートウェイを選択する装置のブロック図である。
【発明を実施するための形態】
【００１１】
以下では、本発明の実施形態における技術的解決法について、本発明の実施形態における添付の図面を参照して説明する。明らかに、説明される実施形態は、本発明の実施形態の全てではなく一部にすぎない。当業者によって、本発明の実施形態に基づいて、創造的な活動を行うことなく取得される全てのその他の実施形態は、本発明の保護範囲内に入る。
【００１２】
実施形態１
本発明の実施形態は、サービングゲートウェイを選択する方法を提供する。図１に示すように、この方法は以下のステップを含む。
【００１３】
１０１：少なくとも２つのＰＤＮ接続に対応するＡＰＮを取得する。
【００１４】
端末が少なくとも２つのＰＤＮ接続を確立する必要がある場合、少なくとも２つのＰＤＮ接続に対応するＡＰＮを取得する。
【００１５】
特定の実装の間、対応するＡＰＮは、ＰＤＮ接続に対応するリクエスト情報を解析することによって取得されてもよい。
【００１６】
１０２：少なくとも２つのＰＤＮ接続に対応するＡＰＮに従って、少なくとも２つのＰＤＮ接続に対応するＳＧＷセットを探索する。
【００１７】
１０３：ＳＧＷセットが共通セットを有する場合、ＳＧＷセットの共通セットからＳＧＷを選択し、ここで、少なくとも２つのＰＤＮ接続に対応するベアラが、選択されたＳＧＷを介して確立され、これにより、２つのＰＤＮ接続は、１つのＳＧＷを介して担持されることが可能になり、ＳＧＷは、少なくとも２つのＰＤＮ接続のＡＰＮに同時に従って選択される。
【００１８】
本発明のこの実施形態は、サービングゲートウェイを選択する装置を更に提供する。図２に示すように、この装置は、具体的にはＭＭＥであってもよく、取得ユニット２１と、ゲートウェイ探索ユニット２２と、第１の選択ユニット２３とを含む。
【００１９】
取得ユニット２１は、端末が少なくとも２つのＰＤＮ接続を確立する必要がある場合に、少なくとも２つのＰＤＮ接続に対応するＡＰＮを取得するように構成される。ゲートウェイ探索ユニット２２は、少なくとも２つのＰＤＮ接続に対応するＡＰＮに従って、少なくとも２つのＰＤＮ接続に対応するＳＧＷセットを探索するように構成される。第１の選択ユニット２３は、ＳＧＷセットが共通セットを有する場合に、ＳＧＷセットの共通セットからＳＧＷを選択するように構成される。少なくとも２つのＰＤＮ接続の下でのベアラが、選択されたＳＧＷを介して確立される。
【００２０】
本発明のこの実施形態は、サービングゲートウェイを選択する方法及び装置を提供し、ＭＳが２つ以上のＰＤＮ接続を確立する必要がある場合、方法及び装置は、ＳＧＷの選択を実行することが可能であり、これにより、複数のＰＤＮ接続を同時に確立する場合に、ＭＳがＳＧＷの選択を実行する必要があるという問題が解決される。選択されるＳＧＷは、各ＰＤＮ接続に対応するサービスの要求を満たすことが可能であり、各ＰＤＮ接続のルーティング要求が考慮に入れられ、ユーザ満足度が向上する。
【００２１】
実施形態２
本発明のこの実施形態の適用シナリオは以下の通りである。ＭＳが新たなアタッチリクエストを発し、ここで、新たなアタッチリクエストは、少なくとも２つのＰＤＮ接続リクエストを運び、新たなアタッチリクエストのためにＳＧＷが決定される必要がある。この適用シナリオに基づいて、実施形態は、サービングゲートウェイを選択する方法を提供する。図３に示すように、この方法は以下のステップを含む。
【００２２】
３０１：ＭＭＥが、ＭＳによって発されたアタッチリクエストを受信し、ここで、アタッチリクエストは、少なくとも２つのＰＤＮ接続リクエストを運ぶ。
【００２３】
少なくとも２つのＰＤＮ接続リクエストを運ぶための、本発明の実施形態における特定の解決法は、既存の通信プロトコルの内容を修正することによって実装されてもよい。関連するプロトコル内容が、アタッチの間に複数のＰＤＮ接続リクエストを運ぶことを可能にするように修正され、ＭＳ装置上でソフトウェア設定が実行され、これにより、ＭＳは、複数のＰＤＮ接続リクエストを運ぶアタッチリクエストをサポートすることが可能になる。
【００２４】
３０２：端末が少なくとも２つのＰＤＮ接続を確立する必要がある場合、少なくとも２つのＰＤＮ接続に対応するＡＰＮを取得する。特定の実装の間、対応するＡＰＮは、ＰＤＮ接続に対応するリクエスト情報を解析することによって取得されてもよい。
【００２５】
３０３：少なくとも２つのＰＤＮ接続に対応する、取得されたＡＰＮに従って、ＳＧＷを選択する。
【００２６】
少なくとも２つのＰＤＮ接続に対応するベアラが、選択されたＳＧＷを介して確立され、これにより、少なくとも２つのＰＤＮ接続のルーティング経路は、１つのＳＧＷを介して確立されることが可能になり、ＳＧＷは、少なくとも２つのＰＤＮ接続のＡＰＮに同時に従って選択される必要がある。
【００２７】
少なくとも２つのＰＤＮ接続に対応する、取得されたＡＰＮに従って、ＳＧＷを選択することは、以下を含む。
【００２８】
３０３ａ：少なくとも２つのＰＤＮ接続に対応するＡＰＮに従って、少なくとも２つのＰＤＮ接続に対応するＳＧＷセットを探索する。
【００２９】
例えば、少なくとも２つのＰＤＮ接続に対応するＡＰＮのうちの１つのＡＰＮが、ＡＰＮ１であり、ＡＰＮ１に対応するサービスが、サービス・ルーティング・プライオリティを満たさなければならない場合、ＡＰＮ１のＰＤＮ接続に対応するＳＧＷセット内の、ＭＭＥによって選択される各ＳＧＷは、ＡＰＮ１のサービス・ルーティング・プライオリティの要求を満たす。
【００３０】
少なくとも２つのＰＤＮ接続に対応するＳＧＷセットが探索される前に、ＭＭＥは、トラッキングエリアのドメイン名解析リクエストを、ＤＮＳサーバに発する必要があり、ＤＮＳサーバは、現在のトラッキングエリアのドメイン名を解析し、解析結果に従って、現在のトラッキングエリアにサービスを提供することが可能な全てのＳＧＷを取得する。探索を介して取得される、かつ少なくとも２つのＰＤＮ接続に対応するＳＧＷセットが、現在のトラッキングエリアにサービスを提供することが可能な全てのＳＧＷから選択される。
【００３１】
３０３ｂ：探索を介して取得されたＳＧＷセット、かつ各ＰＤＮ接続に対応するＳＧＷセットが、共通セットを有する場合、ＳＧＷセットの共通セットからＳＧＷを選択する。
【００３２】
ＳＧＷセットの共通セットから選択されたＳＧＷは、各ＳＧＷセットに対応する異なるＰＤＮ接続のサービス要求を満たしてもよい。
【００３３】
３０３ｃ：ＳＧＷセットが共通セットを有さない場合、予め設定されたサービスプライオリティに従って、第１プライオリティサービスのＰＤＮ接続に対応するＳＧＷセットから、ＳＧＷを選択する。
【００３４】
第１プライオリティサービスは、サービスプライオリティの中の、サービングゲートウェイを優先的に選択するよう予め設定されたサービスを意味する。第１プライオリティサービスは、以下に限定されないが、音声サービス、ブロードバンド伝送サービス、又は優先伝送レートを有するサービスを含む。ＭＳの第１プライオリティサービスは、第１プライオリティサービスの前述のサービスタイプのうちの１つのタイプである。
【００３５】
以下では、２つのステップ３０３ｂ及び３０３ｃについて説明するための例を示す。少なくとも２つのＰＤＮ接続のＡＰＮが、ＡＰＮ１及びＡＰＮ２である場合、これらはそれぞれ音声サービス及びブロードバンド伝送サービスに対応し、対応するＳＧＷセットは、それぞれＳＧＷセット１及びＳＧＷセット２である。加えて、現在のＭＳの第１プライオリティサービスは、音声サービスに設定されている。ＡＰＮ１及びＡＰＮ２のためのＳＧＷを選択する間、ＳＧＷ１及びＳＧＷ２が共通セットを有する場合、ＡＰＮ１及びＡＰＮ２にルートを提供して、２つのＰＤＮ接続の要求を同時に満たすために、共通セットからＳＧＷを選択し、ＳＧＷセット１及びＳＧＷセット２が共通セットを有さない場合、優先サービスとして予め設定された音声サービスに従って、ＡＰＮ１に対応するＳＧＷセット１からのＳＧＷを、２つのＰＤＮ接続によって共通に使用されるＳＧＷであるように選択する。
【００３６】
ＰＤＮ接続を正常に担持するために、本発明の実施形態におけるＭＭＥは、一般に、少なくとも２つのＰＤＮ接続リクエストに対応するＡＰＮのドメイン名解析リクエストを、ＤＮＳサーバに発する必要もある。ＡＰＮのドメイン名を解析した後、ＤＮＳサーバは、解析結果に従って、対応するＡＰＮのサービス要求を満たすことが可能なＰＧＷ（パケットデータネットワークゲートウェイ）セットを、各ＡＰＮについて取得する。ＭＭＥは、各ＡＰＮについて、ＰＧＷセットからＰＧＷを選択する。
【００３７】
３０４：ＳＧＷ及びＰＧＷが選択された後、ＭＭＥは、少なくとも２つのＰＤＮ接続に従って、セッション作成リクエストを選択されたＳＧＷに個別に発する。発されるセッションリクエストの数は、少なくとも２つのＰＤＮ接続の数と同じでなければならない。
【００３８】
３０５：ＳＧＷとのセッションが正常に作成された後、ＭＭＥは、少なくとも２つのＰＤＮ接続に従って、セッション作成リクエストをＰＧＷに個別に発することを、選択されたＳＧＷに通知する。
【００３９】
ＳＧＷのためのセッションの作成が完了した後、ＭＭＥは、セッション作成リクエストを、各選択されたＰＧＷに発することを、ＳＧＷに通知する。図３は、ＰＧＷ１及びＰＧＷ２を、説明のための例として示す。
【００４０】
３０６：ＳＧＷ及びＰＧＷに発されたセッションの作成が完了した後、ＭＭＥは、アタッチアクセプトをＭＳに発する。
【００４１】
その後、ＭＳは、アタッチアクセプトを受信し、引き続き後続の手順を完了する。
【００４２】
この実施形態は、サービングゲートウェイを選択する方法を提供する。ＭＳがアタッチリクエストをＭＭＥに発する場合、少なくとも２つのＰＤＮ接続リクエストが運ばれ、ＭＭＥは、少なくとも２つのＰＤＮ接続リクエストに従って、ＳＧＷを選択し、これにより、アタッチリクエスト内で少なくとも２つのＰＤＮ接続を運ぶ場合に、ＭＳがＳＧＷの選択を実行する必要があるという問題が解決される。本発明の実施形態において提供される方法は、少なくとも２つのＰＤＮ接続の、異なるルーティング要求を考慮に入れてもよい。利用可能なルーティング方式から選択される、ＳＧＷ及びＰＧＷの組み合わせは、少なくとも２つのＰＤＮ接続のサービス要求をサポートすることが可能であり、これにより、ＭＳのための複数のＰＤＮ接続に対応する様々なサービスのルーティング選択要求が満たされる。
【００４３】
実施形態３
本発明のこの実施形態の適用シナリオは以下の通りである。ＭＳが現在のトラッキングエリアから出て、トラッキングエリア・ハンドオーバ又はトラッキングエリア・アップデートが発生する。ＭＳがあるトラッキングエリアの範囲内に位置している場合、システムは、そのトラッキングエリアを介してＭＳの位置を特定することが可能である。ＭＳがトラッキングエリアを出た、又はトラッキングエリアをハンドオーバした場合、ＳＧＷが再選択される必要がある。この適用シナリオに基づいて、実施形態は、サービングゲートウェイを選択する方法を提供する。図４に示すように、この方法は以下のステップを含む。
【００４４】
４０１：ＭＳがトラッキングエリア・アップデート又はトラッキングエリア・ハンドオーバ動作を実行した場合、ＭＭＥは、ＭＳによって発されたトラッキングエリア・アップデート・リクエスト又はトラッキングエリア・ハンドオーバ・リクエストを受信する。
【００４５】
４０２：ＭＭＥは、少なくとも２つのＰＤＮ接続に対応するＡＰＮを取得する。
【００４６】
ＭＭＥによって取得される少なくとも２つのＰＤＮ接続は、ＭＭＥによって取得される、かつ、アップデートされたトラッキングエリア内、又はハンドオーバのためのターゲットトラッキングエリアであるトラッキングエリア内で確立される、少なくとも２つのＰＤＮ接続を意味する。
【００４７】
本発明のこの実施形態は、アップデートされたトラッキングエリア内、又はハンドオーバのためのターゲットトラッキングエリアであるトラッキングエリア内で確立される、少なくとも２つのＰＤＮ接続の場合に主として適用される。従って、ＭＳがトラッキングエリア・アップデート又はハンドオーバ動作を実行した後、本発明のこの実施形態におけるＭＭＥは、アップデートされたトラッキングエリア内、又はハンドオーバのためのターゲットトラッキングエリアであるトラッキングエリア内で確立される、少なくとも２つのＰＤＮ接続を取得する。
【００４８】
４０３：少なくとも２つのＰＤＮ接続に対応する、取得されたＡＰＮに従って、ＳＧＷを選択する。
【００４９】
少なくとも２つのＰＤＮ接続に対応するベアラが、選択されたＳＧＷを介して確立され、これにより、少なくとも２つのＰＤＮ接続は、１つのＳＧＷを介して担持されることが可能になり、ＳＧＷは、少なくとも２つのＰＤＮ接続のＡＰＮに同時に従って選択される必要がある。
【００５０】
各ＰＤＮ接続に対応するＡＰＮに従って、１つのＳＧＷを選択する特定のステップについては、実施形態２の３０３ａ〜３０３ｃの説明を参照されたい。
【００５１】
このステップで取得されるＳＧＷは、トラッキングエリアがアップデートされる前、又はハンドオーバの前に存在していたＳＧＷと同じであってもよい。
【００５２】
ＭＳが、アップデートされたトラッキングエリア内、又はハンドオーバのためのターゲットトラッキングエリアであるトラッキングエリア内で、最適化されるべきＰＤＮ接続を有する場合、ステップ４０３の後に、この方法は、以下のステップを更に含む。
【００５３】
４０４：最適化されるべきＰＤＮ接続の無線側ベアラが解放された、又はアイドル状態になった後、ＭＳに、最適化されるべき元のＰＤＮ接続を削除するよう指示し、そして、ＭＳに、最適化されるべきＰＤＮ接続を再び開始するよう指示する。
【００５４】
最適化されるべきＰＤＮ接続が再び開始された後、ＭＭＥは、更に、最適化されるべきＰＤＮ接続のＰＧＷを再選択する必要がある。ＰＧＷを選択するステップは以下の通りである。ＭＭＥは、最適化されるべきＰＤＮ接続に対応するＡＰＮのドメイン名解析リクエストを、ＤＮＳサーバに発し、ＡＰＮのドメイン名を解析した後、ＤＮＳサーバは、解析結果に従って、対応するＡＰＮのサービス要求を満たすことが可能なＰＧＷセットを、最適化されるべきＡＰＮについて取得し、ＭＭＥは、最適化されるべきＰＤＮ接続に対応するＡＰＮについて、ＰＧＷセットからＰＧＷを選択する。
【００５５】
この実施形態は、サービングゲートウェイを選択する方法を提供する。ＭＳがトラッキングエリア・アップデート又はトラッキングエリア・ハンドオーバなどの動作を実行した場合、現在のＰＤＮ接続に対応するＡＰＮに従ってＳＧＷが再選択され、これにより、新たなトラッキングエリア内のＭＳの様々なＰＤＮ接続に対応する様々なサービス要求のための、適切なルート選択が提供される。加えて、ＳＧＷが再選択された後、最適化される必要があるいくつかのＰＤＮ接続について、ＭＭＥは、ＰＤＮ接続再確立プロセスを実行して、最適化される必要があるＰＤＮ接続のルート最適化のためのＰＧＷを選択し、これによりルーティング効果が向上する。
【００５６】
実施形態４
本発明のこの実施形態の適用シナリオは以下の通りである。現在のシステムがいくつかのＰＤＮ接続を有し、ＳＧＷがすでに選択されており、各ＰＤＮ接続がＰＧＷを選択済みである場合に、ＭＳが、新たなＰＤＮ接続リクエストを再び発する。この適用シナリオにおいて、本発明の実施形態は、サービングゲートウェイを選択する方法を提供する。図５に示すように、この方法は以下のステップを含む。
【００５７】
５０１：接続状態にあるＰＤＮ接続が存在する場合に、ＭＳによって発された少なくとも１つのＰＤＮ接続リクエストを受信する。
【００５８】
５０２：ＭＭＥは、少なくとも２つのＰＤＮ接続に対応するＡＰＮを取得する。
【００５９】
本発明のこの実施形態では、少なくとも２つのＰＤＮ接続は、少なくとも１つのＰＤＮ接続リクエストに対応するＰＤＮ接続、及び接続状態にあるＰＤＮ接続である。
【００６０】
５０３：少なくとも２つのＰＤＮ接続に対応する、取得されたＡＰＮに従って、ＳＧＷを選択する。
【００６１】
各ＰＤＮ接続に対応するＡＰＮを介して、１つのＳＧＷを選択する特定のステップについては、実施形態２の３０３ａ〜３０３ｃの説明を参照されたい。
【００６２】
５０４：接続状態にあるＰＤＮ接続に対応するＳＧＷが、選択を介して取得されたＳＧＷと異なる場合、接続状態にあるＰＤＮ接続のＳＧＷのベアラが移行され、これにより、接続状態にあるＰＤＮ接続に対応するベアラは、選択を介して取得されたＳＧＷに移行される。特定のベアラ移行プロセスは、以下のステップ５０５〜５０９を介して実装されてもよい。
【００６３】
もちろん、接続状態にあるＰＤＮ接続に対応するＳＧＷが、選択を介して取得されたＳＧＷと同じである場合、ベアラ移行は必要とされない。
【００６４】
５０５：ＳＧＷベアラ移行が実行される場合、ＭＭＥは、セッション作成リクエストを、選択を介して取得された新たなＳＧＷに発する。
【００６５】
発されるセッションリクエストの数は、現在のＰＤＮ接続の数と同じでなければならない。各ＰＤＮ接続について、セッション作成リクエストを、新たなＳＧＷに発し、これにより、各ＰＤＮ接続は、新たなＳＧＷ上でそのルートを確立する。
【００６６】
５０６：セッション作成リクエストが受け入れられた後、ＭＭＥは、全ての現在のＰＤＮ接続に従って、アップデート・リクエストを、ＰＧＷに個別に発することを、新たなＳＧＷに通知する。
【００６７】
新たなＳＧＷのためのセッションの作成が完了した後、ＭＭＥは、セッション作成リクエストを、各ＰＤＮ接続に対応するＰＧＷに発することを、新たなＳＧＷに通知する。図５は、ＰＧＷ１及びＰＧＷ２を、説明のための例として示す。ＳＧＷは、アップデート・リクエストを、各ＰＧＷに発し、これにより、各ＰＤＮ接続は、各ＰＧＷへのルーティング経路を、新たなＳＧＷを介して確立する。
【００６８】
５０７：ＭＭＥは、アップデート・リクエストを、基地局に発する。
【００６９】
ＭＭＥは、アップデート・リクエストを、基地局に発する。アップデート・リクエストは、新たなＳＧＷの情報を運び、これにより、基地局は、それ自体によって記憶された古いＳＧＷ情報を、新たなＳＧＷの、取得された情報、例えば新たなＳＧＷのＩＰアドレスなどの情報にアップデートする。
【００７０】
５０８：新たなＳＧＷに、それ自体によって記憶された基地局状態をアップデートすることを通知する。
【００７１】
各ＰＤＮ接続のためのルーティングベアラを提供するＳＧＷは、基地局の状態情報を更に記憶する。基地局が、アップデートを完了した後でその状態を変更した場合、新たなＳＧＷに、それ自体によって記憶された基地局状態を変更された基地局状態にアップデートすることを通知する。
【００７２】
例えば、基地局のＩＰアドレスは、基地局がアップデートを完了した後で変更される場合がある。従って、新たなＳＧＷは、それ自体によって記憶された基地局のＩＰアドレスをアップデートすることを通知される必要がある。
【００７３】
５０９：すでに存在するＳＧＷを削除する。
【００７４】
ＭＳが少なくとも１つのＰＤＮ接続リクエストを発する前に、ＳＧＷが、接続状態にあるＰＤＮ接続にサービスを提供するためにすでに存在する。新たなＳＧＷが選択された後、各ＰＤＮ接続に対応するベアラを、選択された新たなＳＧＷに移行し、すでに存在するＳＧＷを削除する。
【００７５】
この実施形態は、サービングゲートウェイを選択する方法を提供する。ＳＧＷがすでに存在する場合に、ＭＳが、少なくとも１つの新たなＰＤＮ接続リクエストを発し、ＭＭＥが、少なくとも１つのＰＤＮ接続リクエストに対応する新たなＰＤＮ接続、及び接続状態にあるＰＤＮ接続に従って、新たなＳＧＷを再選択する。再選択されたＳＧＷは、全てのＰＤＮ接続に対応するＡＰＮによって使用されてもよいＳＧＷである。後に確立される新たなＰＤＮ接続について、そのサービス要求は、現在存在するＰＤＮ接続によって使用されるＳＧＷによって満たされない可能性がある。新たに確立されるＰＤＮ接続のルーティング要求は、ＳＧＷを再選択することによって満たされることが可能であり、同時に、全てのＰＤＮ接続に対応する様々なサービスのルーティング要求が保証される。
【００７６】
実施形態５
本発明のこの実施形態は、サービングゲートウェイを選択する装置を更に提供する。図６に示すように、この装置は、具体的にはＭＭＥであってもよく、取得ユニット６１と、ゲートウェイ探索ユニット６２と、第１の選択ユニット６３と、第２の選択ユニット６４とを含む。
【００７７】
取得ユニット６１は、端末が少なくとも２つのＰＤＮ接続を確立する必要がある場合に、少なくとも２つのＰＤＮ接続に対応するＡＰＮを取得するように構成される。ゲートウェイ探索ユニット６２は、少なくとも２つのＰＤＮ接続に対応するＡＰＮに従って、少なくとも２つのＰＤＮ接続に対応するＳＧＷセットを探索するように構成される。例えば、少なくとも２つのＰＤＮ接続に対応するＡＰＮのうちの１つのＡＰＮがＡＰＮ１であり、ＡＰＮ１に対応するサービスがサービス・ルーティング・プライオリティを満たさなければならない場合、ＡＰＮ１のＰＤＮ接続に対応するＳＧＷセット内の、ＭＭＥによって選択される各ＳＧＷは、ＡＰＮ１のサービス・ルーティング・プライオリティの要求を満たす。
【００７８】
第１の選択ユニット６３は、ＳＧＷセットが共通セットを有する場合に、ＳＧＷセットの共通セットからＳＧＷを選択するように構成される。第２の選択ユニット６４は、ＳＧＷセットが共通セットを有さない場合に、予め設定されたサービスプライオリティに従って、第１プライオリティサービスのＰＤＮ接続に対応するＳＧＷセットから、ＳＧＷを選択するように構成される。ＳＧＷセットが共通セットを有さない場合、サービングゲートウェイを選択する装置は、実施形態２の３０３ｃにおける関連する説明に従って、ＳＧＷの選択を実行する。従って、少なくとも２つのＰＤＮ接続に対応するベアラが、選択されたＳＧＷを介して確立される。
【００７９】
少なくとも２つのＰＤＮ接続に対応するＳＧＷセットが探索される前に、ＭＭＥは、トラッキングエリアのドメイン名解析リクエストを、ＤＮＳサーバに発する必要があり、ＤＮＳサーバは、現在のトラッキングエリアのドメイン名を解析し、解析結果に従って、現在のトラッキングエリアにサービスを提供することが可能な全てのＳＧＷを取得する。探索を介して取得される、かつ少なくとも２つのＰＤＮ接続に対応するＳＧＷセットが、現在のトラッキングエリアにサービスを提供することが可能な全てのＳＧＷから選択される。加えて、ＭＭＥは、少なくとも２つのＰＤＮ接続リクエストに対応するＡＰＮのドメイン名解析リクエストを、ＤＮＳサーバに更に発する。ＡＰＮのドメイン名を解析した後、ＤＮＳサーバは、解析結果に従って、対応するＡＰＮのサービス要求を満たすことが可能なＰＧＷセットを、各ＡＰＮについて取得する。ＭＭＥは、各ＡＰＮについて、ＰＧＷセットからＰＧＷを選択する。
【００８０】
本発明のこの実施形態で提供される、サービングゲートウェイを選択する装置は、複数の通信シナリオに適用されてもよい。３つのタイプの適用シナリオを、以下に、説明のための例として具体的に示す。
【００８１】
適用シナリオ１：
この適用シナリオは以下の通りである。ＭＳが新たなアタッチリクエストを発し、ここで、新たなアタッチリクエストは、少なくとも２つのＰＤＮ接続リクエストを運ぶ。サービングゲートウェイを選択する装置は、ＭＳによって発されたアタッチリクエストを受信するように構成された、第１の受信ユニット６５を更に含み、ここで、アタッチリクエストは、少なくとも２つのＰＤＮ接続リクエストを運ぶ。アタッチリクエスト内で少なくとも２つのＰＤＮ接続リクエストを運ぶための特定の解決法は、既存の通信プロトコルの内容を修正することによって実装されてもよい。関連するプロトコル内容が、アタッチの間に複数のＰＤＮ接続リクエストを運ぶことを可能にするように修正され、一方、ＭＳ装置上でソフトウェア設定が実行され、これにより、ＭＳは、複数のＰＤＮ接続リクエストを運ぶアタッチリクエストをサポートすることが可能になる。取得ユニット６１によって取得されるＡＰＮは、アタッチリクエスト内で運ばれる少なくとも２つのＰＤＮ接続リクエストに対応するＡＰＮである。ゲートウェイ探索ユニット６２は、少なくとも２つのＰＤＮ接続に対応するＡＰＮに従って、少なくとも２つのＰＤＮ接続に対応するＳＧＷセットを探索するように構成される。第１の選択ユニット６３は、ＳＧＷセットが共通セットを有する場合に、ＳＧＷセットの共通セットからＳＧＷを選択するように構成される。第２の選択ユニット６４は、ＳＧＷセットが共通セットを有さない場合に、予め設定されたサービスプライオリティに従って、第１プライオリティサービスのＰＤＮ接続に対応するＳＧＷセットから、ＳＧＷを選択するように構成される。
【００８２】
この適用シナリオでは、ＳＧＷ及びＰＧＷが選択された後、サービングゲートウェイを選択する装置は、実施形態２の３０４〜３０６に従って、セッション作成プロセスを完了する。
【００８３】
適用シナリオ２：
この適用シナリオは以下の通りである。ＭＳが現在のトラッキングエリアから出て、トラッキングエリア・ハンドオーバ又はトラッキングエリア・アップデートが発生する。サービングゲートウェイを選択する装置は、ＭＳによって発されたトラッキングエリア・アップデート・リクエスト又はトラッキングエリア・ハンドオーバ・リクエストを受信するように構成された、第２の受信ユニット６６を更に含む。取得ユニット６１によって取得されるＡＰＮは、アップデートされたトラッキングエリア内、又はハンドオーバのためのターゲットトラッキングエリアであるトラッキングエリア内のＭＳによって確立される必要があるＰＤＮ接続に対応するＡＰＮである。ＳＧＷの選択が完了した後、ＭＳが、アップデートされたトラッキングエリア内、又はハンドオーバのためのターゲットトラッキングエリアであるトラッキングエリア内で、最適化されるべきＰＤＮ接続を有する場合、再接続指示ユニット６７が、最適化されるべきＰＤＮ接続の無線側ベアラが解放された、又はアイドル状態になった後、ＭＳに、最適化されるべき元のＰＤＮ接続を削除するよう指示し、そして、ＭＳに、最適化されるべきＰＤＮ接続を再び開始するよう指示するように更に構成される。
【００８４】
適用シナリオ３：
現在のシステムが、接続状態にあるＰＤＮ接続を有し、ＭＳが新たなＰＤＮ接続リクエストを再び発するという適用シナリオの場合、第３の受信ユニット６８が、端末によって発された少なくとも１つのＰＤＮ接続リクエストを受信するように構成される。取得ユニット６１は、少なくとも２つのＰＤＮ接続に対応するＡＰＮを取得するように構成され、この適用シナリオでは、少なくとも２つのＰＤＮ接続は、少なくとも１つのＰＤＮ接続リクエストに対応するＰＤＮ接続、及び接続状態にあるＰＤＮ接続である。新たなＳＧＷが選択された後、接続状態にあるＰＤＮ接続に対応するＳＧＷが、選択を介して取得されたＳＧＷと異なる場合、ゲートウェイ移行ユニット６９が、接続状態にあるＰＤＮ接続のＳＧＷのベアラを、選択を介して取得されたＳＧＷに移行するように更に構成される。
【００８５】
この適用シナリオでは、サービングゲートウェイを選択する装置は、実施形態４の５０５〜５０９に従って、ベアラ移行を完了する。
【００８６】
この実施形態は、サービングゲートウェイを選択する装置を提供する。現在のＭＳが少なくとも２つのＰＤＮ接続を有する場合、ＭＭＥが少なくとも２つのＰＤＮ接続に従ってＳＧＷを選択し、これにより、ＭＳの複数のＰＤＮ接続のためにＳＧＷの選択が実行されるという問題が解決される。選択されたＳＧＷは、現在のＭＳの各ＰＤＮ接続に対応する様々なサービスのルーティング要求を満たすために、ＭＳの全てのＰＤＮ接続のＡＰＮによって使用されることが可能である。
【００８７】
実装手法の前述の説明を介して、当業者は、本発明が、ソフトウェア及び必要な汎用ハードウェアによって実装されてもよく、もちろんハードウェアによって実装されてもよく、しかし多くの場合、前者がより良好な実装手法である、ということを明確に理解するであろう。そのような理解に基づいて、本発明の技術的解決法は本質的に、又は従来技術に寄与する部分は、ソフトウェア製品の形態で実装されてもよい。コンピュータソフトウェア製品は、例えば、コンピュータのフロッピーディスク、ハードディスク、又は光ディスクなどの、読み取り可能な記憶媒体内に記憶され、本発明の実施形態において説明された方法を実行するようコンピュータ装置（これは、パーソナルコンピュータ、サーバ、ネットワーク装置などであってもよい）に指示するためのいくつかの命令を含む。
【００８８】
前述の説明は、本発明の特定の実施形態にすぎず、本発明の保護範囲を限定することを意図するものではない。当業者によって、本発明で開示された技術的範囲内で容易に考え出されるいかなる変形又は置換も、本発明の保護範囲内に入る。従って、本発明の保護範囲は、特許請求の範囲の保護範囲によって決まる。
【図１】
0005715267.tif 000002
【図２】
0005715267.tif 000003
【図３】
0005715267.tif 000004
【図４】
0005715267.tif 000005
【図５】
0005715267.tif 000006
【図６】
0005715267.tif 000007